(57)【要約】【課題】  画像形成装置の排気風放出側を壁に近接して配置しても、壁の汚れが発生しにくい外装カバー部材、排気装置、および画像形成装置を提供する。【解決手段】  画像形成装置１の外形を成す外装カバー部材４であって、装置の縦側面を形成する外装平坦部に排気ルーバ５を備え、前記外装平坦部４ａより内方に形成され装置内部からの排気を排出する排気ダクト２を備えた底壁６ａ、この底壁６ａと前記外装平坦部４ａとを連結する立壁部６ｂとからなり、排気ダクト２を外部に連通する凹溝６と、前記排気口に対向する位置には前記凹溝部を横断し前記外装平坦部と略面一配置された壁部７とを備えて構成する。【選択図】  図１
2005091674.tif 000002
【特許請求の範囲】
【請求項１】
装置の外形を成す外装カバー部材であって、装置の縦側面を形成する外装平坦部に開口部を備え、前記外装平坦部より内方に形成され装置内部からの排気を排出する排気口を備えた底壁、この底壁と前記外装平坦部とを連結する立壁部とからなり、排気口と外部とを連通する凹溝と、
前記排気口に対向する位置には前記凹溝部を横断し前記外装平坦部と略面一配置された壁部とを備えたことを特徴とする外装カバー部材。
【請求項２】
請求項１の外装カバー部材において、
前記履排気ファンの開口部にはルーバーが設けられていることを特徴とする外装カバー部材。
【請求項３】
請求項１または請求項２に記載の外装カバー部材において、
前記壁部は対向する開口部またはルーバーを覆い隠すことを特徴とする外装カバー部材。
【請求項４】
請求項１ないし請求項３に記載の外装カバー部材において、
前記壁部はフィルター材で形成されていることを特徴とする外装カバー部材。
【請求項５】
請求項１ないし請求項４に記載の外装カバー部材において、
壁部の排気口に対向する面に、排気を上下に案内する凸状のガイド部材が設けられていることを特徴とする外装カバー部材。
【請求項６】
請求項１ないし請求項５の外装カバー部材において
前記壁部は着脱自在であることを特徴とする外装カバー部材。
【請求項７】
請求項６に記載の外装カバー部材において、
前記壁部は装置の輸送に用いる緩衝板材を用いていることを特徴とする外装カバー部材。
【請求項８】
請求項６に記載の外装カバー部材において、
前記緩衝板材には前記壁部の寸法に破断線部が形成され、緩衝板材から１または複数の壁部を形成することを特徴とする外装カバー部材。
【請求項９】
排気ファンを備え、請求項１ないし請求項７記載の外装カバー部材を備えたことを特徴とする排気装置。
【請求項１０】
排気装置を備えた画像形成装置において、排気装置は請求項８記載の排気装置であることを特徴とする画像形成装置。
【発明の詳細な説明】
【技術分野】
【０００１】
本発明は、外装カバー部材、排気装置、および画像形成装置に係り、特に画像形成装置を壁に密着させて配置しても壁を汚染しにくい外装カバー部材、排気装置、および画像形成装置に関する。
【背景技術】
【０００２】
従来、複写機、プリンタ、ファクシミリ等の画像形成装は装置内の冷却のため排気装置を備えている。例えば、図６に示すように、画像形成装置３０の操作部から見て後ろ側に排気する場合について説明する。この場合には、画像形成装置３０の装置本体３１内部に排気装置３２を設け、その排気ダクト３３を装置本体３１の外側に向けて配置している。そして、外装の外装カバー部材３４の排気ルーバー３５を通して外側に排気するようにしている。このとき画像形成装置３０の外装カバー部材３４を壁に密着させた状態で設置する場合があり、このような場合でも排気を放出できるよう外装カバー部材３４には上下方向に凹溝３６が設けられており、排出された排気が凹溝３６に沿って上下方向に排出されるようになっている。この凹溝３６は排気ルーバー３５が形成され、外装カバー部材３４の一般部３９より内側に形成された底壁部３７と、この底壁部３７から外側に向け立ち上がり前記一般部３９にいたる立壁部３８から構成され、外装カバー部材３４を壁に密着して配置しても凹溝３６が上下方向に開口するようになっている。
【発明の開示】
【発明が解決しようとする課題】
【０００３】
しかしながら、このような従来の画像形成装置３０にあっては、排気ダクト３３からは画像形成装置３０内部からトナー・粉塵等が排気と共に排出されるため、この排気が壁に当たるため、画像形成装置３０を配置した部屋の壁のうち排気が当たる部分が特に汚れるという問題があった。
【０００４】
本発明は、画像形成装置の冷却装置の排気風放出側を壁に近接して配置しても、部屋の壁の汚れが発生しにくい外装カバー部材、排気装置、および画像形成装置を提供することを目的とする。
【課題を解決するための手段】
【０００５】
請求項１の発明は、装置の外形を成す外装カバー部材であって、装置の縦側面を形成する外装平坦部に開口部を備え、前記外装平坦部より内方に形成され装置内部からの排気を排出する排気口を備えた底壁、この底壁と前記外装平坦部とを連結する立壁部とからなり、排気口と外部とを連通する凹溝と、前記排気口に対向する位置には前記凹溝部を横断し前記外装平坦部と略面一配置された壁部とを備えたことを特徴とする外装カバー部材である。
【０００６】
請求項２に記載の発明は、請求項１の外装カバー部材において、前記履排気ファンの開口部にはルーバーが設けられていることを特徴とするものである。
【０００７】
請求項３に記載の発明は、請求項１または請求項２に記載の外装カバー部材において、前記壁部は対向する開口部またはルーバーを覆い隠すことを特徴とするものである。
【０００８】
請求項４に記載の発明は、請求項１ないし請求項３に記載の外装カバー部材において、前記壁部はフィルター材で形成されていることを特徴とするものである。
【０００９】
請求項５に記載の発明は、請求項１ないし請求項４に記載の外装カバー部材において、
壁部の排気口に対向する面に、排気を上下に案内する凸状のガイド部材が設けられていることを特徴とする外装カバー部材。
【００１０】
請求項６に記載の発明は、請求項１ないし請求項３の外装カバー部材において前記壁部は着脱自在であることを特徴とするものである。
【００１１】
請求項７に記載の発明は、請求項６に記載の外装カバー部材において、前記壁部は装置の輸送に用いる緩衝板材を用いていることを特徴とするものである。
【００１２】
請求項８に記載の発明は、  請求項６に記載の外装カバー部材において、前記緩衝板材には前記壁部の寸法に破断線部が形成され、緩衝板材から１または複数の壁部を形成することを特徴とするものである。
【００１３】
請求項９に記載の発明は、排気ファンを備え、請求項１ないし請求項７記載の外装カバー部材を備えたことを特徴とする排気装置である。
【００１４】
請求項１０に記載の発明は、排気装置を備えた画像形成装置において、排気装置は請求項８記載の排気装置であることを特徴とする画像形成装置である。
【発明の効果】
【００１５】
本発明に係る外装カバー部材、排気装置、および画像形成装置によれば、画像形成装置の冷却装置の排気風放出側を部屋の壁に近接して配置しても、壁の汚れが発生しにくいという効果を奏し得る。
【発明を実施するための最良の形態】
【００１６】
以下、本発明の実施の形態を図面に基づいて説明する以下の実施例に基づいて説明する。
【実施例１】
【００１７】
以下本発明に係る第１の実施例の画像形成装置を図面に基づいて説明する。図１は本発明の実施の形態に係る排気部のカバー装置示す画像形成装置の一部拡大斜視図、図２は図１に示した排気部カバー装置に外装カバー部材を取り付けた状態の図１中のＡ−Ａ線に相当する断面図である。
【００１８】
本実施例では画像形成装置１内部に排気口２ａを備えた排気ダクト２を外側に向けた排気装置３が内蔵されている。そしてこの画像形成装置１の排気ダクト２形成側を本発明に係る外装カバー部材４を取り付けるものとしている。この外装カバー部材４には、上記排気ダクト２に対応する位置に排気ルーバー５を形成して、前記排気ダクトからの排気を装置の外部に排出するようにしている。
【００１９】
また、本例では、前記排気ルーバー５が形成される外装カバー部材４には上下方向に凹溝６が設けられ排気が上下方向に排出されるようになっている。
【００２０】
この凹溝６は図２に示すように、画像形成装置１の縦側面を形成する外装平坦部４ａに開口部６ｃを備え、前記外装平坦部４ａより内方に形成された底壁６ａ、この底壁６ａと前記外装平坦部４ａとを連結する立壁部６ｂとから形成されている。
また、本例ではこの凹溝６には前記排気ルーバー５を覆うように凹溝６を横断するよう、前記排気ルーバー５に対向する位置には外装カバー部材の平面部と略面一に配置された壁部７を形成している。本例では壁部７は外装平坦部４ａと一体に形成するものとしている。
【００２１】
本例によれば図２に示すように、ファン９によって排出された排気は、排気ダクト２、排気ルーバー５を経て装置の外部に排出されるが、排出された排気は、図２に示すように壁部７に当たって上下に分散させられる。このため装置内部からのトナー・粉塵等が排気されても部屋の壁に直接衝突することが防止されが汚れることはない。
【００２２】
また、図３に示すように、壁部７の排気口に対向する側に、排気を上下に案内する凸状のガイド部材８を設けるようにすれば、排気が乱れず円滑に上下に進路変更するから、壁の汚染をより有効に防止することができる。
【実施例２】
【００２３】
次に本発明の第２の実施例について説明する。図４は本発明の他の実施例に係る排気部のカバー装置を示す画像形成装置の一部拡大斜視図である。本例において、壁部１７は外側カバー部材１４と別体に形成された板状部材である。また、外側カバー部材１４には凹部１６が形成され、この凹部１６縦壁部１６ｂには、排気ルーバー１５の配置位置に対応して上記壁部１７が係止される係止段部１８が４個所に形成されている。
【００２４】
本例に係る画像形成装置を使用するにあたって、画像形成装置の外側カバー部材１４側を部屋の壁に近接して配置する場合には、前記係止段部１８に壁部１７を取り付け、排気が直接壁に当たらないようにすることができる。一方画像形成装置の外側カバー部材１４を壁に近接させないで使用する場合には、壁部１７を取り付けることなく使用すれば排気が効率よく排出される。
【００２５】
なお、前記壁部をフィルター材で形成すると、トナー・粉塵が壁部で吸収され、より壁の汚染を防止することができる。また、図３に示すように、壁部１７の排気口に対向する側に、排気を上下に案内する凸状のガイド部材８を設けるようにすれば、排気が乱れず円滑に上下に進路変更するから、壁の汚染をより有効に防止することができる
次に前記第２の実施例の変形例を説明する。本例は、前記第２の実施例の壁部として画像形成装置運送時に使用される緩衝材２１を切断して使用するものである。この緩衝材２１は画像形成装置輸送時の破損防止のためユニットの間などに嵌挿されているものであり、画像形成装置を設置した後は破棄される場合がほとんどである。
【００２６】
本例では、この緩衝材２１を外装カバー部材１４の壁部２７として使用する。この場合、緩衝材２１には、ミシン目２２等の折り目を入れておき数個に分割できるようにすると、汚れれば前記緩衝材２１を分割して新たな壁部２７として取り替えることができる。さらに、画像形成装置本体には、緩衝材２１の保管スペース２３を設けておくことが望ましい。
【００２７】
なお、本発明の外装カバー部材、排気装置、および画像形成装置は、上記した実施の形態に限定されるものではなく、本発明の要旨を逸脱しない範囲内において種々変更を加え得ることは勿論である。
【図面の簡単な説明】
【００２８】
【図１】本発明の第１の実施例に係る排気部のカバー装置を示す画像形成装置の一部拡大斜視図である。
【図２】図１に示した排気部カバー装置の図１中のＡ−Ａ線に相当する断面図である。
【図３】本発明の実施の形態に係る排気部のカバー装置の変形例を示す画像形成装置の図１中のＡ−Ａ線に相当する断面図である。
【図４】本発明の他の実施例に係る排気部のカバー装置を示す画像形成装置の一部拡大斜視図である。
【図５】図４に示した排気部のカバー装置の変形例を示す斜視図である。
【図６】従来の排気部のカバー装置を示す画像形成装置拡大斜視図である。
【符号の説明】
【００２９】
１     画像形成装置
２     排気ダクト
３     排気装置
４     外装カバー部材
４ａ   外装平坦部
５     排気ルーバー
６     凹溝
６ａ   底壁
６ｂ   立壁部
６ｃ   開口部
７     壁部
８     ガイド部材
９     ファン
１４   外側カバー部材
１５   排気ルーバー
１６   凹部
１６ａ 底壁部
１６ｂ 縦壁部
１７   壁部
１８   係止段部
２１   緩衝材
２２   ミシン目
２３   保管スペース
２７   壁部
【図１】
2005091674.tif 000003
【図２】
2005091674.tif 000004
【図３】
2005091674.tif 000005
【図４】
2005091674.tif 000006
【図５】
2005091674.tif 000007
【図６】
2005091674.tif 000008